(57)【要約】【課題】  液晶表示画面の縦横表示の切り替え方法を動作モードによって異ならせ、操作性を向上させることを目的とする。【解決手段】  表示筐体１及び操作筐体２を２軸ヒンジからなる可動連結部３により折り畳み可能に連結し、２以上の端末状態を遷移可能な携帯電話機であって、各端末状態を検出可能な磁気センサ４１，４３と、液晶表示画面１１の縦置き表示及び横置き表示の切り替えをユーザが指定するための縦横表示指定部６１と、第１動作モードでは検出された端末状態に基づいて、第２動作モードではユーザによる切り替え指定に基づいて、上記液晶表示画面の縦置き表示及び横置き表示を切り替える縦横表示制御部６３とを備え、動作モードに応じて、縦横表示の切り替え方法を異ならせる。【選択図】  図１２
2005318164.tif 000002
【特許請求の範囲】
【請求項１】
長方形の液晶表示画面を含む表示パネル面を有する第１筐体と、操作パネル面を有する第２筐体と、２軸ヒンジを介して第１筐体及び第２筐体を折り畳み可能に連結する可動連結部とを備え、２以上の端末状態を遷移可能な携帯電話機において、
上記端末状態を検出可能な端末状態検出手段と、
上記液晶表示画面の縦置き表示及び横置き表示の切り替えをユーザが指定するための縦横表示指定手段と、
第１動作モードでは検出された端末状態に基づいて、第２動作モードではユーザによる切り替え指定に基づいて、上記液晶表示画面の縦置き表示及び横置き表示を切り替える縦横表示制御手段とを備えたことを特徴とする携帯電話機。
【請求項２】
縦置き表示及び横置き表示の一方の選択中における上記液晶表示画面の上下方向をユーザが指定するための表示方向指定手段と、
ユーザにより指定された上記液晶表示画面の上下方向を記憶する表示方向記憶手段と、
上記表示方向記憶手段に基づいて、縦置き表示及び横置き表示の上記一方の選択中における上記液晶表示画面の上下方向を制御する表示方向制御手段とを備えたことを特徴とする請求項１に記載の携帯電話機。
【請求項３】
第１筐体又は第２筐体上であって、上記液晶表示画面の長手側の側面にサイドキーを備え、
上記表示方向制御手段が、横置き表示中における上記液晶表示画面の上方向を上記サイドキーの方向と一致させることを特徴とする請求項２に記載の携帯電話機。
【請求項４】
第１筐体又は第２筐体上であって、上記液晶表示画面の長手側の側面に設けられたサイドキーと、
第１動作モードにおいて横置き表示中の上記液晶表示画面の上下方向をユーザが指定するための表示方向指定手段と、
ユーザにより指定された上記液晶表示画面の上下方向を記憶する表示方向記憶手段と、
横置き表示中における上記液晶表示画面の上下方向を、第１動作モードでは上記液晶表示画面の上方向を上記サイドキーの方向と一致させ、第２動作モードでは上記表示方向記憶手段に基づいて制御する表示方向制御手段とを備えたことを特徴とする請求項１に記載の携帯電話機。
【請求項５】
上記第１動作モードが、上記液晶表示画面をファインダーとして用いてカメラ撮影を行うカメラ撮影モードからなり、
上記第２動作モードが、上記液晶表示画面にテレビ放送受信画像を表示するためのテレビ視聴モードからなることを特徴とする請求項４に記載の携帯電話機。
【請求項６】
第２筐体上であって、操作パネル面と対向する面にカメラ撮影手段を備え、
上記可動連結部が、表示パネル面及び操作パネル面を内側に向けて折り畳んだ第１の端末状態、表示パネル面及び操作パネル面を同一方向に向けて展開させた第２の端末状態、並びに、表示パネル面を外側に向けて折り畳んだ第３の端末状態を遷移可能となるように上記第１筐体及び第２筐体を連結し、
上記縦横表示制御手段が、カメラ撮影モードの場合、第２及び第３の端末状態において上記液晶表示画面の縦置き表示及び横置き表示を異ならせることを特徴とする請求項５に記載の携帯電話機。
【請求項７】
長方形の液晶表示画面を備えた携帯電話機において、
上記液晶表示画面の縦置き表示及び横置き表示の切り替えをユーザが指定するための縦横表示指定手段と、
縦置き表示及び横置き表示の一方の選択中における液晶表示画面の上下方向をユーザが指定するための表示方向指定手段と、
第１動作モードでは縦置き表示及び横置き表示の他方のみが常に選択され、第２動作モードではユーザによる切り替え指定に基づいて、上記液晶表示画面の縦置き表示及び横置き表示を切り替える縦横表示制御手段と、
縦置き表示及び横置き表示の上記一方の選択中における液晶表示画面の上下方向を表示方向記憶手段に基づいて決定する表示方向制御手段とを備えたことを特徴とする携帯電話機。
【請求項８】
上記第１動作モードが、上記液晶表示画面に待ち受け画像を表示する待受けモードからなり、
上記第２動作モードが、上記液晶表示画面にテレビ放送受信画像を表示するためのテレビ視聴モードからなることを特徴とする請求項７に記載の携帯電話機。
【発明の詳細な説明】
【技術分野】
【０００１】
本発明は、携帯電話機に係り、さらに詳しくは、長方形の液晶表示画面を備え、液晶表示画面の縦置き表示又は横置き表示を選択可能な動作モードを有する携帯電話機の改良に関する。
【背景技術】
【０００２】
液晶表示画面を含む表示パネル面が形成された表示筐体と、テンキーを含む操作パネル面が形成された操作筐体とを折り畳み可能に連結して構成される携帯電話機は、既に広く普及している。さらに、これらの筐体を２軸ヒンジによって連結することにより、様々な端末状態に変形可能にした携帯型情報処理装置も従来から知られている（例えば特許文献１）。
【０００３】
また、長方形の液晶表示画面が設けられ、鉛直方向を検出することによって、当該液晶表示画面を縦長となるように配置して使用する縦置き表示と、横長となる様に配置して使用する横置き表示に切り替え可能なテレビ電話装置が従来から知られている（例えば特許文献２）。
【特許文献１】特開２００３−３３０５９０号公報
【特許文献２】特開２００１−５４０８４号公報
【発明の開示】
【発明が解決しようとする課題】
【０００４】
２軸ヒンジを備え、様々な端末状態に変形可能な携帯電話機の場合、その端末状態に応じて液晶表示画面の縦置き表示及び横置き表示を自動的に切り替えることができれば、利便性が高いと考えられる。ところが、動作状態によっては、端末状態に応じて自動的に切り替えるよりも、ユーザの意思に基づいて縦置き表示及び横置き表示を切り替える方が便利な場合もあり、さらに、縦置き表示及び横置き表示を切り替えない方が便利であるという場合もある。
【０００５】
また、縦置き表示から横置き表示へ（あるいは、その逆方向へ）画面表示が切り替えられる場合、切り替え後の画面表示の上下方向として２通りが考えられる。このため、いずれを採用するのかを決定しなければならない。例えば、縦置き表示及び横置き表示のそれぞれについて、予め上下方向を定めておくこともできるし、ユーザに指定させることもできる。
【０００６】
しかしながら、画面表示の上下方向を予め定めている場合には、ユーザの好みに応じて、上下方向を変更することができない。その一方で、画面表示の上下方向をユーザに指定させる場合には、縦置き表示及び横置き表示の切り替えが行われるごとに、ユーザが上下方向を指定しなければならず操作が煩雑になる。
【０００７】
本発明は、上記の事情に鑑みてなされたものであり、液晶表示画面の縦置き表示及び横置き表示の切り替え方法を動作モードに応じて異ならせた携帯電話機を提供することを目的とする。特に、端末状態に基づく縦横表示の自動切り替え、あるいは、ユーザ指定による手動切り替えを携帯電話機の動作モードに基づいて選択する折り畳み式携帯電話機を提供することを目的とする。
【０００８】
また、本発明は、液晶表示画面の縦置き表示及び横置き表示が切り替えられる際、サイドキーの方向を液晶表示画面の上方向とする携帯電話機を提供することを目的とする。特に、カメラ撮影モードにおいて液晶表示画面の縦横表示が切り替えられる際、シャッターキーとしてのサイドキーの方向をファインダーとしての液晶表示画面の上方向とする携帯電機を提供すること目的とする。
【０００９】
また、本発明は、液晶表示画面の縦横表示が切り替えられる際、液晶表示画面の上下方向をユーザによって予め指定された方向とする携帯電話機を提供することを目的とする。特に、テレビ視聴モードにおいて、液晶表示画面の縦横表示の切り替え指定をユーザが行った場合に、その上下方向を予めユーザ指定された方向とする携帯電機を提供すること目的とする。
【課題を解決するための手段】
【００１０】
第１の本発明による携帯電話機は、長方形の液晶表示画面を含む表示パネル面を有する第１筐体と、操作パネル面を有する第２筐体と、２軸ヒンジを介して第１筐体及び第２筐体を折り畳み可能に連結する可動連結部とを備え、２以上の端末状態を遷移可能な携帯電話機であって、上記端末状態を検出可能な端末状態検出手段と、上記液晶表示画面の縦置き表示及び横置き表示の切り替えをユーザが指定するための縦横表示指定手段と、第１動作モードでは検出された端末状態に基づいて、第２動作モードではユーザによる切り替え指定に基づいて、上記液晶表示画面の縦置き表示及び横置き表示を切り替える縦横表示制御手段とを備えて構成される。この様な構成により、動作モードによって縦横表示の切り替え方法を異ならせることができる。
【００１１】
また、第２の本発明による携帯電話機は、上記構成に加えて、縦置き表示及び横置き表示の一方の選択中における上記液晶表示画面の上下方向をユーザが指定するための表示方向指定手段と、ユーザにより指定された上記液晶表示画面の上下方向を記憶する表示方向記憶手段と、上記表示方向記憶手段に基づいて、縦置き表示及び横置き表示の上記一方の選択中における上記液晶表示画面の上下方向を制御する表示方向制御手段とを備えて構成される。この様な構成により、画面表示の上下方向をユーザに選択させるとともに、選択された上下方向を記憶させて、縦横表示を切り替えるたびにユーザが指定しなくても、ユーザの好みに応じた上下方向により画面表示を行わせることができる。
【００１２】
また、第３の本発明による携帯電話機は、上記構成に加えて、第１筐体又は第２筐体上であって、上記液晶表示画面の長手側の側面にサイドキーを備え、上記表示方向制御手段が、横置き表示中における上記液晶表示画面の上方向を上記サイドキーの方向と一致させるように構成される。横置き表示中における上方向をサイドキーの方向と一致させることにより、横置き表示中における操作性を向上させることができる。
【００１３】
また、第４の本発明による携帯電話機は、上記構成に加えて、第１筐体又は第２筐体上であって、上記液晶表示画面の長手側の側面に設けられたサイドキーと、第１動作モードにおいて横置き表示中の上記液晶表示画面の上下方向をユーザが指定するための表示方向指定手段と、ユーザにより指定された上記液晶表示画面の上下方向を記憶する表示方向記憶手段と、横置き表示中における上記液晶表示画面の上下方向を、第１動作モードでは上記液晶表示画面の上方向を上記サイドキーの方向と一致させ、第２動作モードでは上記表示方向記憶手段に基づいて制御する表示方向制御手段とを備えて構成される。この様な構成により、第１動作モードでは、サイドキーとの関係によって液晶表示画面の上下方向を決定し、第２動作モードでは、ユーザ指定され、表示方向記憶手段に保持されている上下方向に基づいて液晶表示画面の上下方向を決定することができる。
【００１４】
また、第５の本発明による携帯電話機は、上記構成に加えて、上記第１動作モードが、上記液晶表示画面をファインダーとして用いてカメラ撮影を行うカメラ撮影モードからなり、上記第２動作モードが、上記液晶表示画面にテレビ放送受信画像を表示するためのテレビ視聴モードからなる。この様な構成により、液晶表示画面を横置き表示する際、画面表示の上方向をカメラ撮影モードではサイドキー側とし、テレビ視聴モードではユーザ指定により決定することができる。
【００１５】
また、第６の本発明による携帯電話機は、上記構成に加えて、第２筐体上であって、操作パネル面と対向する面にカメラ撮影手段を備え、上記可動連結部が、表示パネル面及び操作パネル面を内側に向けて折り畳んだ第１の端末状態、表示パネル面及び操作パネル面を同一方向に向けて展開させた第２の端末状態、並びに、表示パネル面を外側に向けて折り畳んだ第３の端末状態を遷移可能となるように上記第１筐体及び第２筐体を連結し、上記縦横表示制御手段が、カメラ撮影モードの場合、第２及び第３の端末状態において上記液晶表示画面の縦置き表示及び横置き表示を異ならせるように構成される。
【００１６】
また、第７の本発明による携帯電話機は、長方形の液晶表示画面を備えた携帯電話機において、上記液晶表示画面の縦置き表示及び横置き表示の切り替えをユーザが指定するための縦横表示指定手段と、縦置き表示及び横置き表示の一方の選択中における液晶表示画面の上下方向をユーザが指定するための表示方向指定手段と、第１動作モードでは縦置き表示及び横置き表示の他方のみが常に選択され、第２動作モードではユーザによる切り替え指定に基づいて、上記液晶表示画面の縦置き表示及び横置き表示を切り替える縦横表示制御手段と、縦置き表示及び横置き表示の上記一方の選択中における液晶表示画面の上下方向を表示方向記憶手段に基づいて決定する表示方向制御手段とを備えて構成される。この様な構成により、動作モードによって縦横表示の切り替えを行うか否かを異ならせることができる。
【００１７】
また、第８の本発明による携帯電話機は、上記構成に加えて、上記第１動作モードが、上記液晶表示画面に待ち受け画像を表示する待受けモードからなり、上記第２動作モードが、上記液晶表示画面にテレビ放送受信画像を表示するためのテレビ視聴モードからなる。
【発明の効果】
【００１８】
本発明によれば、折り畳み式携帯電話機の液晶表示画面の縦置き表示及び横置き表示の切り替え方法を動作モードによって異ならせている。特に、端末状態に基づく縦横表示をカメラ撮影モードでは端末状態に基づいて自動的に切り替え、テレビ視聴モードでは手動により切り替えている。このため、携帯電話機の操作性を向上させることができる。
【００１９】
また、本発明によれば、縦横表示を切り替える際、サイドキーの方向を液晶表示画面の上方向としている。特に、カメラ撮影モードにおいて液晶表示画面の横置き表示が行われる際、シャッターキーとして使用されるサイドキーの方向をファインダーとして使用される液晶表示画面の上方向としている。このため、携帯電話機の操作性を向上させることができる。
【００２０】
また、本発明によれば、液晶表示画面の縦横表示が切り替えられる際、液晶表示画面の上下方向をユーザによって予め指定された方向としている。このため、上下方向を任意に選択可能にするとともに、縦横表示を切り替えるたびに上下方向を指定しなくても、ユーザの好みに応じた方向にすることができ、携帯電話機の操作性を向上させることができる。
【発明を実施するための最良の形態】
【００２１】
実施の形態１．
図１の（ａ）及び（ｂ）は、本発明による携帯電話機の一例を示した図であり、「オープンポジション」と呼ばれる端末状態における外観が示されている。このオープンポジションは、当該携帯電話機の使用時における最も基本的な端末状態であり、図中の（ａ）は、オープンポジションの携帯電話機をユーザ側から見た正面図であり、（ｂ）は、その右側面図である。
【００２２】
この携帯電話機は、表示筐体１及び操作筐体２と、これらの筐体１，２を回転可能に連結する可動連結部３とにより構成される。この可動連結部３は、第１回転軸Ａ１及び第２回転軸Ａ２を中心として、両筐体１，２を相対的に回転させることができる２軸ヒンジからなる。
【００２３】
表示筐体１は、概ね長方形の平板形状からなる薄型筐体であり、その一主面に表示パネル面１０が形成され、この表示パネル面１０上に液晶表示画面１１及び通話用レシーバ１２が配置されている。液晶表示画面１１は、表示パネル面１０の大部分を占める長方形の形状からなり、その長手方向が表示筐体１の長手方向に一致するように配置されている。また、通話用レシーバ１２は、液晶表示画面１１よりも先端側（可動連結部３とは反対側）に配置されている。
【００２４】
操作筐体２も、表示筐体１と同様、概ね長方形の平板形状からなる薄型筐体であり、その一主面には操作パネル面２０が形成されている。この操作パネル面２０には、テンキー、ガイドキー、オフフックキー、オンフックキーなどの多数の操作キーからなるメインキー２１が配置されるとともに、通話用マイクロフォン２２が配置されている。また、操作筐体２の長手側の側面上にはサイドキー２３が配置されている。上記通話用マイクロフォン２２は、メインキー２１よりも筐体先端側（可動連結部３とは反対側）に配置されている。また、上記サイドキー２３は、操作パネル面２０に正対した場合の右側面であって筐体先端寄りに配置されている。
【００２５】
表示筐体１及び操作筐体２は、それぞれの短辺側において可動連結部３により連結されている。携帯電話機を使用するユーザは、通常、操作筐体２を手で持って使用し、第１回転軸Ａ１を中心として表示筐体１を回転させれば、両筐体の主面を対向させて折り畳むことができ、あるいは、展開させることができる。また、第２回転軸Ａ２を中心として表示筐体１を１８０°回転させれば、操作筐体２に対し、表示筐体１を裏返した状態にすることができる。
【００２６】
図２の（ａ）〜（ｃ）は、図１の携帯電話機の「クローズポジション」と呼ばれる端末状態における外観を示した図である。クローズポジションは、上記携帯電話機の最も基本的な収納時の端末状態であり、オープンポジションから、第１回転軸Ａ１を中心として表示筐体１を回転させ、表示パネル面１０及び操作パネル面２０がともに内側となるように対向させて折り畳んだ状態である。
【００２７】
図中の（ａ）は、クローズポジションの携帯電話機をユーザ側（表示筐体１側）から見た正面図、（ｂ）は、その背面図、（ｃ）は、その右側面図である。操作筐体２の操作パネル面２０とは反対側の主面には、カメラ２４及びモバイルライト２５が設けられている。カメラ２４は、ＣＣＤ又はＣＯＭＳイメージセンサからなる撮像手段であり、静止画や動画を撮影することができる。撮影時には、液晶表示画面１１がファインダーとして使用され、被写体がモニター表示される。また、モバイルライト２５は、露出不足時に点灯するＬＥＤからなるフラッシュライトである。
【００２８】
図３の（ａ）及び（ｂ）は、図１の携帯電話機の「セルフ撮影ポジション」と呼ばれる端末状態における外観を示した図であり、図中の（ａ）は、セルフ撮影ポジションの携帯電話機をユーザ側から見た正面図、（ｂ）は、その背面図である。セルフ撮影ポジションは、主としてユーザ自身をカメラ撮影するための端末状態である。このセルフ撮影ポジションは、オープンポジションから、第２回転軸Ａ２を中心として表示筐体１を１８０°回転させ、表示パネル面１０及び操作パネル面２０を反対方向に向けた展開状態である。カメラ撮影時にファインダーとして使用される液晶表示画面１１が、カメラ２４と同一方向を向いているため、セルフ撮影ポジションは、ユーザ自身を撮影するのに適している。
【００２９】
図４の（ａ）及び（ｂ）は、図１の携帯電話機の「ビュアーポジション」と呼ばれる端末状態における外観を示した図であり、図中の（ａ）は、携帯電話機をユーザ側から見た正面図、（ｂ）は、その右側面図である。ビュアーポジションは、携帯電話機を折り畳んだ状態で、液晶表示画面１１を閲覧可能な端末状態であり、セルフ撮影ポジションから、第１回転軸Ａ１を中心として表示筐体１を回転させ、表示パネル面１０を外側に、操作パネル面２０を内側に向けて折り畳んだ状態である。この端末状態におけるユーザ操作は、サイドキー２３を用いて行われる。
【００３０】
なお、上記可動連結部３には、スピーカ３１が配置されている。このスピーカ３１は、回転軸Ａ１，Ａ２について表示筐体１を回転させても、常に操作パネル面２０と同じ方向を向いている。つまり、ユーザが操作筐体２を手で持って使用していれば、スピーカ３１は、常にユーザ側を向いている。しかも、図１〜図４に示した通り、常に外側に露出した状態に維持される。
【００３１】
図５は、図１の携帯電話機に内蔵された端末状態検出手段の一例を示した図である。マグネット４０及び磁気センサ４１は、一方が表示筐体１内の先端側中央に、他方が操作筐体２内の先端側中央に、クローズポジション及びビュアーポジションにおいて互いに対向するように配置されている。このため、磁気センサ４１による検出結果に基づいて、第１回転軸Ａ１に関する回転状態を判別することができる。つまり、磁気センサ４１がマグネット４０の磁力線を検出すれば、クローズポジション又はビュアーポジションであると判別できる。
【００３２】
また、マグネット４２及び磁気センサ４３は、一方が可動連結部３内に、他方が表示筐体１内に、オープンポジション及びクローズポジションにおいて互いに対向するように配置されている。このため、磁気センサ４３による検出結果に基づいて、第２回転軸Ａ２に関する回転状態を判別することができる。つまり、磁気センサ４３がマグネット４２の磁力線を検出すれば、オープンポジション又はクローズポジションであると判別できる。
【００３３】
従って、磁気センサ４１及び磁気センサ４３の検出結果を組み合わせれば、４つの端末状態（オープンポジション、クローズポジション、セルフ撮影ポジション、ビュアーポジション）のいずれであるのかを判別することができる。なお、磁気センサ４１，４３には、ホール素子やＭＲ素子などが用いられる。
【００３４】
図６は、図１の携帯電話機内の一構成例を示したブロック図である。主制御部５０は、携帯電話機の主要な制御を行っているマイクロプロセッサである。無線部５１は、アンテナを介してセルラー無線基地局（不図示）との間で無線通信を行っている。通信制御部５２は、主制御部５０の指示に基づいて上記無線通信を制御している。
【００３５】
端末状態判別部５３は、図５の磁気センサ４１及び４３からの検出信号に基づいて、端末状態を判別し、その判別結果を主制御部５０へ出力している。入力制御部５４は、メインキー２１及びサイドキー２３が操作された場合に、主制御部５０へキー操作信号を出力している。撮影制御部５５は、主制御部５０からの指示に基づいてカメラ２４及びモバイルライト２５を制御し、カメラ２４の撮影画像を主制御部５０へ出力している。
【００３６】
テレビ放送受信部５６は、アンテナを介してテレビ放送信号の受信処理を行っている。受信制御部５７は、主制御部５０の指示に基づいて上記テレビ放送受信を制御している。表示制御部５８は、ＬＣＤコントローラであり、主制御部５０が生成した画像を液晶表示画面１１に表示させる。音声出力制御部５９は、スピーカ３１及び通話用レシーバ１２を制御している。例えば、着信音やＴＶ放送の音声はスピーカ３１から出力され、受話音やダイヤル操作音は通話用レシーバ１２から出力される。音声入力制御部６０は、通話中における通話用マイクロフォン２２の出力信号を主制御部５０へ出力している。
【００３７】
次に、液晶表示画面１１の表示制御の詳細について説明する。上述した通り、液晶表示画面１１に表示する画像データは主制御部５０によって生成される。その際、主制御部５０は、液晶表示画面１１を縦長に配置して使用する縦置き表示と、横長に配置して使用する横置き表示とを行うことができる。また、横置き表示では、上下方向が異なる２通りの表示を行うことができる。すなわち、この携帯電話機は、上方向が９０度ずつ異なる３種類の画面表示を切り替えて行うことができる。ただし、これらの画面表示の切り替え制御は、制御の可否も含め、携帯電話機の各動作モードにより異なっている。
【００３８】
本明細書では、携帯電話機の動作モードとして、通話モード、カメラ撮影モード、テレビ視聴モード及び待受けモードがあるものとする。通話モードは、主制御部５０において通話アプリケーションプログラム（ＡＰ）が起動され、通話用レシーバ１２及び通話用マイクロフォン２２を用いて通話することができる動作モードである。カメラ撮影モードは、カメラ撮影ＡＰが起動され、カメラ２４により静止画や動画を撮影し、携帯電話機内のメモリ（不図示）に保存することができる動作モードである。テレビ視聴モードは、テレビ視聴ＡＰが起動され、液晶表示画面１１にテレビ放送受信画像が表示される動作モードである。待受けモードは、上記のような特定の動作モード以外の動作モードであり、主制御部５０において上記ＡＰが起動されておらず、液晶表示画面１１に予め定められた待ち受け画像が表示されているアイドリング状態の動作モードである。
【００３９】
図７は、待受けモードにおける画面表示の一例を示した図である。主制御部５０は、動作モードが待受けモードの場合、常に、表示筐体１の先端側を上方向とする液晶表示画面１１の縦置き表示を行っている。すなわち、端末状態にかかわらず、縦横表示及び上下方向の切り替えは行われない。また、ユーザの操作入力により、縦横表示及び表示方向（上下方向）を切り替えることもできない。なお、通話モードにおいても、待受けモードの場合と全く同様である。
【００４０】
図８は、カメラ撮影モードにおける画面表示の一例を示した図であり、図中の（ａ）が、オープンポジションにおける画面表示例、（ｂ）が、ビュアーポジションにおける画面表示例である。
【００４１】
カメラ撮影モードでは、端末状態に応じて自動的に画面表示の切り替えが行われる。具体的には、端末状態がオープンポジションの場合、待受けモードと同様、表示筐体１の先端側を上方向とする液晶表示画面１１の縦置き表示が行われる。端末状態がセルフ撮影ポジションの場合も全く同様である。一方、端末状態がビュアーポジションの場合には、サイドキー２３の配置された側面を上方向とする液晶表示画面１１の横置き表示が行われる。
【００４２】
ビュアーポジションでは、サイドキー２３が、ズーム調整、シャッター及びメニュー表示のための操作キーとして用いられる。このため、液晶表示画面１１をファインダーとして用いる際、横置き表示にすれば、カメラ２４、サイドキー２３及び液晶表示画面１１の配置が、一般的なデジタルカメラと同様となり、優れた操作性が得られる。つまり、動作モードがカメラ撮影モードで、かつ、端末状態がビュアーポジションの場合には、画面表示の上方向をサイドキー２３側にするのが最も好ましい。
【００４３】
一方、端末状態がオープンポジションの場合には、シャッターキーなどの操作キーとしてメインキー２１が用いられるため、液晶表示画面１１は縦置き表示される方が望ましい。従って、カメラ撮影モードの場合、端末状態に基づいて、縦横表示の切り替えが自動的に行われ、表示方向についての切り替えは行われない。
【００４４】
図９〜図１１は、テレビ視聴モードにおける画面表示の一例を示した図である。図９は、オープンポジションにおける縦置き表示選択時の画面表示例、図１０は、ビュアーポジションにおける縦置き表示選択時の画面表示例である。図１１の（ａ）及び（ｂ）は、ともに横置き表示選択時の画面表示例である。
【００４５】
テレビ視聴モードにおいて液晶表示画面１１を横置き表示した場合、テレビ放送受信画像を大きく表示することができ、視聴しやすくなる。しかしながら、縦置き表示から横置き表示に切り替えると、ユーザは携帯電話機を持ち替えなければならない。また、横置き表示では、縦置き表示の場合のように操作キーへの機能割り当てを表示することができない。このため、テレビ視聴モードでは、端末状態による画面表示の切り替えを行わず、ユーザの切り替え指示に基づいて画面表示の切り替えが行われる。つまり、画面表示の切り替えは自動ではなく手動で行われる。
【００４６】
図９及び図１０に示した通り、液晶表示画面１１の縦置き表示の選択中は、待受けモードの場合と同様、表示筐体１の先端側を上方向とする画面表示のみが行われる。従って、テレビ放送受信画像の表示は端末状態にかかわらず同一となる。ただし、操作キーへの機能割り当ての表示は、端末状態によって異なる。すなわち、オープンポジション（図９）ではメインキー２１への機能割り当てが表示され、ビュアーポジション（図１０）ではサイドキー２３への機能割り当てが表示される。
【００４７】
一方、図１１に示した通り、横置き表示の選択中は、テレビ放送受信画像が最大化されて表示され、操作キーへの機能割り当ては表示されない。液晶表示画面１１のアスペクト比は、テレビ放送受信画像のアスペクト比と概ね同一であり、液晶表示画面１１全体にテレビ放送受信画像が表示されている。そして、必要に応じて、表示中のチャンネル番号及び音声ボリュームの値が、液晶表示画面１１の対角上の端部において、テレビ放送受信画像へオーバラップさせて表示される。
【００４８】
図１１の（ａ）及び（ｂ）は、ともに横置き表示中の画面表示例であるが、画像表示の上方向が異なっている。すなわち、（ａ）では、サイドキー２３が上方向となるように液晶表示画面１１が横置き表示され、（ｂ）では、サイドキー２３が下方向となるように液晶表示画面１１が横置き表示されている。なお、図１１では、ビュアーポジションの例について説明したが、オープンポジション及びセルフ撮影ポジションの場合でも、全く同様にして、横置き表示へ切り替えることができ、また、上方向を指定することができる。
【００４９】
テレビ視聴モードにおける縦横表示の切り替えと、横置き表示中の上方向の切り替えは、ユーザのメニュー操作により行われる。これらのメニュー操作は互いに独立して行うことができる。従って、横置き表示中の上方向を一旦指定すれば、その後、横置き表示への切り替えを行うたびに、特段の指定を行わなくてよい。
【００５０】
図１２は、主制御部５０の要部について一構成例を示した機能ブロック図である。メニュー処理部６７は、入力制御部５４からのキー操作信号に基づいて、メニューの表示処理及び選択処理を行う手段であり、縦横表示指定部６１及び表示方向指定部６２が含まれる。縦横表示指定部６１は、ユーザ操作による縦横表示の切り替えを行うための手段であり、表示方向指定部６２は、ユーザ操作による上下方向の指定を行うための手段である。
【００５１】
ユーザにより指定された縦横表示の切り替え指定は、縦横表示指定部６１から縦横表示制御部６３へ出力される。縦横表示制御部６３は、この切り替え指定、端末状態判別部５３からの端末状態、及び、動作モードに基づいて、縦横表示を切り替えるか否かを決定する。その結果、縦横表示を切り替える場合には、画像データ生成部６６へ縦横表示切替信号を出力する。
【００５２】
一方、ユーザにより指定された表示方向（横置き表示における上下方向）は、表示方向指定部６２から表示方向記憶部６４へ出力され、図示しないメモリに格納される。この表示方向は、その後に更新されるまで保持される。表示方向制御部６５は、この表示方向と、動作モードに基づいて、横置き表示における表示方向を決定する。この表示方向は、画像データ生成部６６へ出力される。
【００５３】
画像データ生成部６６は、液晶表示画面１１に表示する画像データを生成し、表示制御部５８へ出力している。画像データの生成は、縦横表示制御部６３及び表示方向制御部６５の出力に基づいて行われ、横置き表示中は、文字及びピクト（アイコン）などの画像データや、テレビ放送受信画像を９０度回転させて使用している。
【００５４】
図１３のステップＳ１０１〜Ｓ１０４は、カメラ撮影モードにおける画面表示制御の一例を示したフローチャートである。動作モードを待受けモードからカメラ撮影モードへ移行させた場合、端末状態に基づいて縦横表示が選択される（ステップＳ１０１〜Ｓ１０３）。すなわち、端末状態がビュアーポジションであれば、液晶表示画面１１を横置き表示とし、サイドキー２３側が画面表示の上方向とされる。一方、端末状態がビュアーポジション以外であれば、液晶表示画面１１を縦置き表示とし、表示筐体１の先端側が上方向とされる。
【００５５】
その後、端末状態判別部５３から出力される端末状態を監視し、端末状態が変化した場合には、変化後の端末状態に応じて縦横表示の切り替えが行われる（ステップＳ１０４）。一方、端末状態が変化しなければ、縦横表示の切り替えは行われない。
【００５６】
図１４のステップＳ２０１〜Ｓ２０４は、テレビ視聴モードにおける画面表示制御の一例を示したフローチャートである。動作モードを待受けモードからテレビ視聴モードへ移行させた場合、まず、縦置き表示が選択される（ステップＳ２０１）。すなわち、端末状態にかかわらず、液晶表示画面１１が縦置き表示される。このとき、表示筐体１の先端側が上方向とされる。
【００５７】
その後、ユーザのメニュー操作により、横置き表示への切り替え指定を行うことができる（ステップＳ２０２）。横置き表示への切り替えが指定された場合、表示方向記憶部６４に保持されている表示方向に基づいて上方向が決定され、横置き表示への変更が行われる（ステップＳＳ２０３）。
【００５８】
同様にして、横置き表示中は、ユーザのメニュー操作により、縦置き表示への切り替え指定を行うことができる（ステップＳ２０４）。そして、縦置き表示への切り替えが指定された場合には、ステップＳ２０１へ進む。
【００５９】
図１５は、待受けモード、カメラ撮影モード及びテレビ視聴モード間における状態遷移の様子を示した図である。カメラ撮影モード及びテレビ視聴モードへの移行は、常に、待受けモードを介して行われ、待受けモードでは、常に液晶表示画面１１の縦置き表示が行われている。このため、図１４に示した通り、テレビ視聴モードへ移行した直後は、縦置き表示とされる。
【００６０】
本実施の形態によれば、折り畳み式携帯電話機における液晶表示画面の縦置き表示及び横置き表示の切り替え制御を動作モードによって異ならせ、カメラ撮影モードでは端末状態に基づいて自動的に切り替え、テレビ視聴モードでは手動により切り替えている。この様にして、動作モードに応じて縦横表示の切り替え制御を異ならせることによって、携帯電話機の操作性を向上させることができる。
【００６１】
また、本実施の形態によれば、縦横表示を切り替える際、サイドキーの方向を液晶表示画面の上方向としている。特に、カメラ撮影モードにおいて液晶表示画面の横置き表示が行われる際、シャッターキーとして使用されるサイドキーの方向をファインダーとして使用される液晶表示画面の上方向としている。このため、携帯電話機の操作性を向上させることができる。
【００６２】
また、本実施の形態によれば、液晶表示画面の縦横表示が切り替えられる際、液晶表示画面の上下方向をユーザによって予め指定された方向としている。このため、上下方向を任意に選択可能にするとともに、縦横表示を切り替えるたびに上下方向を指定しなくても、ユーザの好みに応じた方向にすることができる。
【００６３】
なお、本実施の形態では、液晶表示画面１１の縦横表示の切り替えが手動により行われる動作モードの場合に、表示方向記憶部６４に保持された上下方向に基づいて、表示方向を決定する場合について説明したが、本発明はこの様な場合には限定されない。すなわち、端末状態などに基づいて縦横表示の切り替えが自動で行われる動作モードにおいても、表示方向を同様にして決定することができる。
【００６４】
また、本実施の形態では、テレビ視聴モードにおいて、液晶表示画面１１を横置き表示した場合に、その上下方向をユーザ指定することができる場合の例について説明したが、カメラ撮影モードの場合と同様、サイドキー側を上方向に決定するようにすることもできる。
【００６５】
さらに、本実施の形態では、カメラ撮影モード及びテレビ視聴モードにおける動作の例について説明したが、本発明は、このような場合に限定されず、様々な動作モードについて適用することができる。
【図面の簡単な説明】
【００６６】
【図１】本発明による携帯電話機の一例を示した図であり、「オープンポジション」における外観が示されている。
【図２】図１の携帯電話機について「クローズポジション」における外観を示した図である。
【図３】図１の携帯電話機について「セルフ撮影ポジション」における外観を示した図である。
【図４】図１の携帯電話機について「ビュアーポジション」における外観を示した図である。
【図５】図１の携帯電話機に内蔵された端末状態検出手段の一例を示した図である。
【図６】図１の携帯電話機内の一構成例を示したブロック図である。
【図７】待受けモードにおける画面表示の一例を示した図である。
【図８】カメラ撮影モードにおける画面表示の一例を示した図であり、図中の（ａ）にオープンポジション、（ｂ）にビュアーポジションにおける画面表示例が示されている。
【図９】テレビ視聴モードにおける画面表示の一例を示した図であり、オープンポジションにおける縦置き表示選択時の画面表示例が示されている。
【図１０】テレビ視聴モードにおける画面表示の一例を示した図であり、ビュアーポジションにおける縦置き表示選択時の画面表示例が示されている。
【図１１】テレビ視聴モードにおける画面表示の一例を示した図であり、横置き表示選択時画面表示例が示されている。
【図１２】図６の主制御部５０の要部について一構成例を示した機能ブロック図である。
【図１３】カメラ撮影モードにおける画面表示制御の一例を示したフローチャートである。
【図１４】テレビ視聴モードにおける画面表示制御の一例を示したフローチャートである。
【図１５】待受けモード、カメラ撮影モード及びテレビ視聴モード間における状態遷移の様子を示した図である。
【符号の説明】
【００６７】
１  表示筐体
２  操作筐体
３  可動連結部
１０  表示パネル面
１１  液晶表示画面
２０  操作パネル面
２１  メインキー
２３  サイドキー
２４  カメラ
４０〜４３  端末状態検出手段
５０  主制御部
６１  縦横表示指定部
６２  表示方向指定部
６３  縦横表示制御部
６４  表示方向記憶部
６５  表示方向制御部
６６  画像データ生成部
６７  メニュー処理部
Ａ１，Ａ２  回転軸
【図１】
2005318164.tif 000003
【図２】
2005318164.tif 000004
【図３】
2005318164.tif 000005
【図４】
2005318164.tif 000006
【図５】
2005318164.tif 000007
【図６】
2005318164.tif 000008
【図７】
2005318164.tif 000009
【図８】
2005318164.tif 000010
【図９】
2005318164.tif 000011
【図１０】
2005318164.tif 000012
【図１１】
2005318164.tif 000013
【図１２】
2005318164.tif 000014
【図１３】
2005318164.tif 000015
【図１４】
2005318164.tif 000016
【図１５】
2005318164.tif 000017